(57)【特許請求の範囲】
【請求項１】
排水溝、排水管等を流れる流体から固形物を捕集する装置であって、
排水溝、排水管等の出口に連結可能とされ、ここから流出する流体を受け、誘導する継手手段と、
誘導された流体中に含まれる固形物を捕集し、出口から流出する流体を流通可能にして継手手段と組み合わされる網状手段と、
固形物が所定量捕集された時に網状手段を継手手段から解放するように網状手段と継手手段に相互作用する網解放手段とを有することを特徴とする装置。
【請求項２】
捕集された固形物により引き起こされる流体の制限流の結果、網解放手段は、以下の場合に網状手段を継手手段から解放するように作動する請求項１記載の装置。
(i)流体が所定流位に達した時、
(ii)流体が所定圧力に達した時、
(iii)固形物が所定重量に達した時、又は
(iv)流体の流れが所定流位まで低下した時。
【請求項３】
網解放手段は、継手手段と組み合わされる以下のトリップ機構により作動する請求項２記載の装置。
前記(i)の場合、浮き子の上昇により作動し、
前記(ii)及び(iii)の場合、機械式、電子式、又は電気式のセンサにより作動し、
前記(iv)の場合、流量計により記録された流体のある流位で作動する。
【請求項４】
網解放手段は、継手手段の外周に延び、網状手段の一端を継手手段に解放可能に緊締する保持ケーブル手段を有し、このケーブル手段を緩めることにより網状手段が継手手段から解放される請求項３記載の装置。
【請求項５】
前記(i)の場合において、浮き子が立上がり管内に保持され、流体が所定流位に達した時に浮き子は、立上がり管をある高さまで上昇し、これにより機械的解放装置を作動させ、そしてケーブル手段が緩められて網状手段が継手手段から解放可能になる請求項４記載の装置。
【請求項６】
機械的解放装置は、一端において継手手段にこの周りを回動自在に取り付けられ、他端が、機械的解放装置の一部をなし、機械的解放装置内で解放されるキャッチ機構により係止可能とされたピボットアームを有し、このピボットアームがキャッチ機構から離脱可能となった時に、ケーブル手段が継手手段から解放される請求項５記載の装置。
【請求項７】
ケーブル手段は、無端状ループという形態で設けられており、ピボットアームがキャッチ機構により係止されている時に、ピボットアームの周りを取り巻いている請求項６記載の装置。
【請求項８】
ケーブル手段は、網状手段の開口の周囲にこれを取り巻いて取り付けられ、網状手段が継手手段から解放された時に、網状手段の開口を閉じるための引き紐として機能する請求項７記載の装置。
【請求項９】
網状手段は網袋であり、安全コード又はチェーンにより継手手段に補助的に取り付けられている請求項８記載の装置。
【請求項１０】
安全コード又はチェーンはケーブル手段に取り付けられており、網解放手段が継手手段から解放される時に、網状手段の開口を閉鎖させるようにケーブル手段を引っ張る請求項９記載の装置。
【請求項１１】
継手手段は、装置を流れる流体が迂回する分流出口を有する請求項１〜１０のいずれかに記載の装置。
【請求項１２】
分流出口は、バルブ機構により流体の流れに対して選択的に閉鎖される分岐管であり、バルブ機構は、固形物が網状手段により所定量捕集されると開放され、分岐管を通じて流体を放出する請求項１１記載の装置。
【請求項１３】
分流出口は継手手段に形成された越流孔であり、継手手段内で所定流位に達すると、装置から流体の越流を可能にする請求項１１記載の装置。
【発明の詳細な説明】
【０００１】
この発明は、排水溝、排水管等を流れる流体から固形物を捕集する装置に関するものである。例えば、この装置は、豪雨の濁流水、産業廃水等の廃水中の浮遊性固形物を捕集するのに用いることができる。この発明は、上記用途に関して主に記載されるが、これに限定されることはなく、流れる流体からの固形物の捕集が必要とされるすべての場合にその用途を見出すことができることが理解されよう。
【０００２】
自然水路に水を放出し、また、誘導することの重要な課題は、固形物が含まれるということである。この固形物は、最終的には海や河川に達し、海洋生物、海浜、そして人への汚染物となる。
【０００３】
また、浮遊性固形物が含まれる豪雨の濁流水の処理は、現在、ますます大きな環境問題の一つとなりつつある。
固形物が最終的に廃水、豪雨の濁流水等に入り込まないようにすることはきわめて難しく、したがって、そのような水が自然水路に還流する前に固形物を除去できれば、それが望ましい。
【０００４】
汚染物捕集装置は比較的新しいものであり、現行装置は、詰まりや機能に支障をきたしやすいことが知られている。この発明は、こうした事情に鑑みてなされたものである。
【０００５】
この発明は、排水溝、排水管等を流れる流体から固形物を捕集する装置を提供する。この装置は、
排水溝、排水管等の出口に連結可能とされ、ここから流出する流体を受け、誘導する継手手段と、
誘導された流体中に含まれる固形物を捕集し、かつ流体が流通できるように継手手段と組み合わされる網状手段と、
固形物が所定量捕集された時に網状手段を継手手段から解放するように網状手段と継手手段に相互作用する網解放手段とを有する。
【０００６】
この発明による装置は、産業廃水、豪雨の濁流水等の流体から浮遊性固形物を容易かつ経済的にろ過するのに使用可能であり、万一装置が満杯となったり、又は詰まりが生じた場合には、網解放手段の作動により装置は流体を継続的に放流することができる。環境に深刻な影響を及ぼす恐れのある詰まりや背圧等が生じることはない。網状手段は、容易に取り外すことができ、定期的な手入れ及び／又は交換が可能である。
【０００７】
特に好ましくは、網状手段は、定期的に手入れをし、中を空にし、また、清掃等を行い、これにより、装置の使用中に網状手段が操作を必要とないようにすることができる。
【０００８】
この明細書において「排水溝、排水管等」とは、開放型又は閉鎖型の排水装置をはじめ、導管、管、流体流路等のあらゆる形式のものを含む。
捕集された固形物により引き起こされる流体の制限流の結果、網解放手段は、以下の場合に網状手段を継手手段から解放するように作動する。
【０００９】
(i)流体が所定流位に達した時、
(ii)流体が所定圧に達した時、
(iii)固形物が所定重量に達した時、又は
(iv)網状手段を流通する流体の流れが所定流位まで低下した時。
【００１０】
装置は、網解放手段を作動させるためにこれら因子の一つ若しくはそれ以上を用いることができるように構成することができる。
好ましくは、網解放手段は、継手手段と組み合わせられるトリップ機構により作動させることができる。すなわち、上記(i)の場合、浮き子の上昇により作動させ、(ii)及び(iii)の場合、機械式、電子式、又は電気式のセンサにより作動させ、(iv)の場合、流量計により記録された流体のある流位で作動させることができる。このように、パラメータが所定レベルに達した時にこれを検出するために、各種の「トリガ」型装置が用いられる。
【００１１】
網解放手段には、継手手段の外周に延び、網状手段の一端部を継手手段に解放可能に緊締し、トリップ機構が作動した時に解放される保持ケーブル手段が含まれる。このケーブル手段は、網状手段を継手手段に取り付けるための簡便な手段となる。「ケーブル手段」には、（ステンレス鋼ケーブル、合成又は天然繊維製ロープ、ステンレス鋼チェーン、プラスチック製編組みテープ、ホース型緊締機構、Ｃ形板ばねクリップ、又はそれらの組合せ）等のあらゆるケーブル、クリップ、クランプ、チェーン、ロープ等の紐状若しくはテープ状の手段（又はそれらの組合せ）が想定される。
【００１２】
好ましくは、ケーブル手段は、網状手段の開口の周囲にこれを取り巻いて取り付けられ、網状手段が継手手段から解放された時に、（網状手段が装置を流れる流体の流れに留まっている間に）網状手段の開口を閉じるための引き紐として機能するようにする。
【００１３】
網状手段は、好ましくは網袋であり、安全コード又はチェーンにより継手手段に補助的に取り付けられる。安全コードは、好ましくは、一端において継手手段に取り付けられ、他端においてケーブル手段に取り付けられる。安全コードのケーブル手段への取付けには、ケーブル手段が突出する（すなわち、これによりリングはケーブル手段に沿って移動できる）リングを介在させることが好ましい。こうすることにより、使用時には、安全コードによりケーブル手段を引くことにより網状手段の開口を（引き紐のように）閉鎖することができる。
【００１４】
前記(i)の場合、好ましくは、浮き子は、立上がり管内に保持され、流体が所定流位に達した時に立上がり管内をある高さまで上昇し、これにより機械的解放装置を作動させ、そして網状手段を継手手段から解放させるようにする。
【００１５】
機械的解放装置には、一端が継手手段にこの周りを回動自在に取り付けられ、他端が、機械的解放装置の一部をなし、機械的解放装置内で解放されるキャッチ機構により係止されるピボットアームが含まれる。このピボットアームがキャッチ機構から離脱可能となった（すなわち解放された）時に、ケーブル手段が継手手段から解放される。
【００１６】
好ましくは、ケーブル手段は無端状のループとし、ピボットアームの周りを取り巻くようにする。
また、ピボットアームをキャッチから解放するために、電子式若しくは電気式のセンサ、又は流量計と組み合わせられる制御装置を機械的解放装置と相互作用させることもできる。
【００１７】
継手手段は、排水溝、排水管等から流出するほぼすべての流体を受け入れる。好ましくは、継手手段は、排水管又は排水溝の出口端に直結及び／又は装着可能な太く短い円筒とすることができ、排水管等に溶接、ボルト締め、ねじ止め、鋲打ち、接着等により取り付けることができる。勿論、継手手段を流体出口に又はその近傍に取り付け、又は配置するために、他の適当な機構を使用することも可能である。
【００１８】
継手手段には、また、網状手段により固形物が所定量捕集されると、流体が誘導される分流出口を設けることができる。何らかの理由により網解放手段が作動しない場合の安全機構として、流体は、分流出口を通じて装置から放流される。
【００１９】
分流出口は、バルブ機構（例えば、蝶形弁又は板弁）により流体の流れに対し選択的に閉鎖される分岐管とすることができる。この場合、バルブ機構は、網状手段により固形物が所定量捕集されると開放され、分岐管を通じて流体を放流する。若しくは、より簡便に、分流出口は、継手手段に形成された分流堰又は出口流路とすることもできる。分流堰又は出口流路は、網状手段が閉塞し、又は満杯する等により流体が装置内で所定流位に達した時に、流体を装置から放流させるために越流を可能にする。
【００２０】
この発明による装置は、（例えば、豪雨のように流体中に過度の固形物が存在する場合に）排水溝等が閉塞するのを防止することができる。また、安全コードは、捕集した固形物を保持可能とし、その引き紐作用は、流れる流体に網袋を単に乗せておくだけでなく、その後の処理のために固形物を捕集したまま放さない。
【００２１】
この発明の範囲内には他の形態も該当するが、この発明の好ましい形態を一例として添付した図面に沿って説明する。
図１及び図２には、流体から固形物を捕集するための装置が、水浮遊性固形物の捕集装置10として示されている。この捕集装置には、排水管、排水口等の端部に装着、取付け、又はその近傍に配置可能な管部12が継手手段として設けられている。管部12は、流体が放流される出口の形状及び性質に応じた適宜な形状とすることができる。この管部は、亜鉛めっき溶接鋼、ステンレス鋼、射出成形プラスチック等の耐蝕性材料から形成することができる。
【００２２】
図１に示した捕集装置10（図２の捕集装置にも同様な構成が適用される）には、さらに網袋14が網状手段として設けられている。この袋は、管部12に取外し可能に取り付けられる開放端15を有している。袋は、一般に、ステンレス鋼ワイヤ、ステンレス鋼ワイヤメッシュ等の耐蝕性材料から、又は耐腐食性の天然若しくは合成繊維材料（ポリプロピレン、ポリエステル等）から形成される。網袋の開放端15は、ケーブル16の連続ループにより管部12の外周に固定されている（以下に詳述）。ケーブル16は、袋の端部を保持するように取り巻いている。ケーブルは、同様に、ステンレス鋼ケーブル若しくは（通常は、プラスチックで被覆された）鋼合金ケーブルをはじめとする適当な耐蝕性材料、又は合成ロープ等から形成される。
【００２３】
ケーブル16は、管部の周囲を延びており、管部12との間で網の開放端を緊締するための張力をかけられ（後述）、また、解放端を解放するために張力を弱めることができる長さを有する。
【００２４】
具体的には、図３に示したように、ケーブル16は、解放可能な掛け金19を介してループ18の両端に取り付けられるチェーンリンク17を一部に有する。図２において、ケーブル16のループ端18は、（図１１及び１３にも示した）管部12上に形成された一対の起立ピン20の間を延びる。このピン20は、簡便なケーブル案内手段となる。
【００２５】
また、図１に示したように、ケーブル16は、管部の外面上に設けられた一対のプーリ22（図１）の間を通すこともできる。プーリは、ケーブルに張力を付与し、また、弱める際にケーブルの両端を滑らかに案内することができる。
【００２６】
チェーンリンク部17は、ケーブルの緊締を可能にするピボットアーム26の周りを取り巻いている（後述）。ピボットアームは、軸受板27において管部に取り付けられている。
【００２７】
網袋14は、管部の一部の周りに外方に張り出した縁28,29（図２参照）を設けることにより、管部12に確実かつ容易に固定することができる。ケーブル16には、網袋をより強固に固定するために、また、ケーブルが使用中に容易に位置を変え（滑って）管部から外れないように張力をかけることができる。
【００２８】
図１及び図２には、さらに、垂直立上がり管体30が示されてもいる。この立上がり管体30は、管部12上に設けられ、管部12の内面と流体接触する。立上がり管体は、捕集装置動作中の所定時刻／事態にアーム26を解放する機構の一部をなす。アーム26を解放することにより網袋14が解放される（後述）。
【００２９】
立上がり管体には、垂直な浮き子室31が設けられ、浮き子32はこの浮き子室31内で上下に移動する。また、室蓋（図示せず）用の丁番ブラケット及び閉鎖タブ33（図４）が設けられている。浮き子室の一側面には、使用中に浮き子が妨げられて（詰まったり、引っ掛かったりして）いないか使用者が確認することができるように覗き窓34を設けることができる（図１）。
【００３０】
浮き子室の下端は入口を介して管部に連通しており、上端にはキャッチ体38が設けられている。このキャッチ体は、浮き子が浮き子室の上部に向かって移動すると作動する。
【００３１】
図４〜図１０に示したように、キャッチ体38には、浮き子室31の内部にボルト締めされたブラケット41に回動可能に取り付けられたキャッチ40が含まれる。キャッチは、ピボットアーム係止体43の一部であるアーム42と係合する（図１０参照）。
【００３２】
図４に示したように、アーム42は、浮き子室31の内部に延びており、また、室孔44から外部に延びてもいる（図５）。アーム42には、その延伸距離を設定するために、使用時に浮き子室31の外面に接する（図４）曲面状の支持板45が取り付けられている。また、指状支持部材46が曲面板45からアーム42まで延びている。この指状支持部材により、アームはしっかりと支持され、使用時に適度に固定される。
【００３３】
アーム42の対向端は、ピボットアーム26のキャッチとして機能するキャッチプレート48に（例えばボルト47を介して）回動可能に取り付けられている。キャッチプレート48は、ほぼＳ字形であり、下方に突出するインテグラルピン49を有する。ピン49は、浮き子室31の外面に取り付けられたブシュ50に納められ、支持されており、使用時にはブシュ内で回転する。
【００３４】
図８は、「係合」位置にあるキャッチ体を示している。この係合位置において、ピボットアーム26はキャッチプレート48により捕捉されている（これにより後述のようにケーブル16には張力がかかる）。これに加え、アーム42が、その移動を防止するためにキャッチ40内に捕捉されてもいる。
【００３５】
図９は、解放状態にあるキャッチ体を示している。この状態において、キャッチ40は、（例えば、浮き子32の係合により）アーム42を解放している。ピボットアーム26は、ケーブル16の張力（すなわち、網袋を管部12に保持するための張力による）により外方に駆動されるため、キャッチ体は、外方に回動する。すなわち、まずキャッチプレートが、アーム26によりピン49の周りを回動する（すなわち、ピン49はブシュ50内で回転し、次いでアーム42が、ボルト47において支持板45の周りを回転する）。そして、キャッチ体は十分に回動し、その結果、ピボットアーム26が完全にキャッチ体から解放され、下方に倒れ込む。これにより、ケーブル16はアーム26から解放される。
【００３６】
ケーブル16はアーム26の周りに取り巻かれており、特定の長さに選定されているため、アーム26が捕捉される（「係合」位置）時にはケーブルは緊縛され、このため、網袋の開放端15はケーブルにより管部12に緊締される。一方、ピボットアームが解放されると、ケーブルは緩められ、アーム26を移動して（スライドして）外れ、開放端15の緊締が解除される。捕集装置を流通する流体は、網袋を管部12から離脱させる。
【００３７】
ケーブル16には、通常、保持（又は安全）コード51が網袋の開放端に取り付けられる。図１の構成では、コードの一端は、管部12の外部に配設された固定具52に取り付けられている。
【００３８】
図２及び図３の構成では、保持コード51は、突出部54から延びる２つの部分を有する。これらの２つの部分は図２において点線でその概略が示されている。コードの両端にはリング56（図３参照）が取り付けられており、ここをケーブル16（又はリンク部17）が通っている。保持コード51の上側に設けられたリングには、図３に示したようにリンク部17が取り付けられている。一方、下側コード51のリングはケーブル16に取り付けられている。
【００３９】
一対のリングを使用することにより、網袋の端部は、（コード51から網を吊り下げることにより）寄せ集められ、掛けることができる。さらに、コード51は、（掛け金等の）解放可能な機構により突出部54に取り付けられる。
【００４０】
図２に示したように、外方に突出する縁28, 29は、管部12の開放端の外周の一部にのみ設けられている（すなわち、縁は、管部12の開放端の上部及び底部で途切れている）。このように縁が不連続となっていることにより、リング56及びチェーンリンク17を管部上端に配置させることができ、また、管部下端に配置されたリング56を、網袋が使用時に解放される時に管部から容易に外れるようにすることができる。ピン20は、また、外方に向かって傾倒しており(図２)、したがって、チェーン部17及びリング56が引っ掛かることはない。
【００４１】
いずれの構成においても、網袋が解放されると、保持コードは網袋が流出するのを防止する。中を空にする、交換する等の前に網袋を捕集装置から取り外すために、使用者は、固定具52／突出部54において保持コードを外すだけでよく、その後、保持コードを介して網袋を持ち上げることができる。
【００４２】
網袋が管部12から取り外される際に、コード51は、ケーブル16に引き紐として機能させ、捕集装置を流れる流体の圧力下で網袋の開放端を閉鎖するように作用する。このように、網袋に捕集された固形物は、網袋が管部12から外されると網袋内に安全に保持される。上記の通り、網袋はその後取り外され、網袋が再使用のために管部に再び取り付けられる前に、固形物は廃棄される。網袋は、必要に応じて洗浄、清掃及び／又は補修することができる。
【００４３】
使用時には、上記の通り、網袋は管部に取り付けられ、キャッチ体は係合状態とされ、豪雨の濁流水が排水溝、排水管等から管部12に流入すると、濁流水は網袋（図１）に誘導され、網袋の網目よりも大きいすべてのごみ、固形物等が網袋の中に捕集される。時間の経過とともに網袋は次第に一杯になる。網袋が適時に空にされ、又は手入れされないと、網袋の容量は完全に一杯になり、網袋からの流体の流出が実質的に又は完全に制限される。そして、これが袋の圧力を増大させ、例えば、豪雨の際に、水は管部12に次第に満ちるようになる。管部が水で一杯になると、水位は垂直立上がり管体30を上昇し、浮き子32に作用して浮き子室31内を上昇させる。最終的に、浮き子はキャッチ40の底面（すなわち、図７のアーム58に）に係合する。
【００４４】
浮き子はさらに上昇し続け、ブラケット41においてキャッチ40を回動させるようにキャッチを上方に持ち上げる。キャッチの肩部60がアーム42との接触から外れ、アーム42を、隙間62を通じてキャッチから離脱させる。これにより、ピボットアーム係止体は解放され、ピボットアーム26に加わる力（すなわち、ケーブル16及びチェーンリンク17の張力による）が、ピボットアームを軸受板27の周りを外側に回動させる。こうして、係止体43全体が、（図９に示すように）外側に回動する。
【００４５】
ピボットアーム26は十分に下方へ移動し（すなわち、ピン20の間で管部12に倒れ込み）、チェーンリンク17がピボットアームから解放され（すなわち、スライドして外れ）、ケーブル16が緩められる。ケーブル16と袋端部は解放され、突出する縁28, 29を通り越し、袋は管部12から解放される。
【００４６】
袋がさらに移動すると、保持コード51に張力が付与され、リング56を介してケーブル16を引っ張るようになる。ケーブル16に引き紐式の袋の閉鎖を行わせる。網袋端部が閉じられると、固形物はその中に保持され、放散（そして豪雨の濁流水や廃水等の再流入）が防止される。網袋はその後、突出部54から取り外され、中が空にされ、又は新しい袋と交換される。
【００４７】
ピボットアーム26とこれにともなうキャッチ体の解放は自動化可能である。例えば、キャッチ体は、圧力又は流体センサが固形物捕集装置内の所定の圧力又は流位を検出した時に解放させることができる（すなわち、網袋が固形物によって満たされた結果、管部12内の流位及び圧力が高まり、これを容易に検出することができる）。あるいはまた、流れが所定流位まで低下した時に、捕集装置の内部又は外部（すなわち、捕集装置の下流）のいずれかに配置された流量計が、ピボットアームを解放させるようにキャッチ体を作動させることもできる。
【００４８】
さらにまた、網袋が固形物で満たされた時に網袋内の固形物の重量を検出する電子式重量センサを、ピボットアームを解放させるようにキャッチ体を作動させるのに使用することができる。このように、多数の形式の解放機構が可能である。
【００４９】
次に、図１１及び図１２（同一の参照番号が類似又は同一部分を示すために使用されている）には、分流出口が分岐管70という形態で示されている。図１１の構成では、垂直立上がり管体30が省略されている。分岐管は、垂直な立上がり管体が網を解放できなかった場合に備えてのバックアップ手段となる。分岐管70は、内部に設けた板弁72を除いて管部12を流れる流体に開放されている。板弁は、通常、（図１２に実線として示すように）閉じているが、板弁を（分岐管の内部に設けられた適当な軸受により支持された）ピボット軸74の周りを回動させることにより（点線矢印Ｏで示した）付近の流体が流れるように開けることができる。
【００５０】
使用時には、（豪雨の濁流水、廃水等の）流体は、管部12を（矢印Ｎの方向に）正常に流れ、固形物を捕集する網袋を流れる。一方、流体の流れが（網袋が満杯になる等により）停止される、ある所定流位まで低下する、又は背圧が形成される等になると、板弁72は開放される（例えば、点線で示した位置まで動く）。流体は、（管部の正常な開口における）詰まりを迂回することができ、捕集装置への損傷及び背圧の問題等が防止される。
【００５１】
板弁の開閉は、機械式、電子機械式、又は手動式で制御可能である。例えば、板弁は、垂直立上がり管体とほぼ同様な機械式構成により開放可能であるが、この場合ピボットアーム26（又は類似物）は、網袋を解放するのではなく、弁を開放する。
【００５２】
図１３においても同一の参照番号が類似又は同一部分を示すために使用されているが、この図１３には、さらに別の分流出口が示されている。すなわち、図１３の構成では、分流出口は、越流孔80, 82として設けられている。この場合、越流孔は常に開放しており、管部12の流位がその越流孔の高さに到達した時、越流80, 82から溢れ出る。同様な一対の越流孔は管部の反対側にも（図示したように）設けることができる。これらの越流孔は、（必要に応じて）図１１及び図１２の分岐管70とともに設けることができる。又は、ある水位において流体の越流を可能とする内部堰と組み合わせることもできる。また、越流孔は、垂直立上がり管体30とともに使用することも可能であるが、この場合、管体は下方に設け、管部内を最低位置の孔より下方位置まで延ばす必要がある。また、キャッチを作動させる機構は、最低位置の孔より下方位置において係合するようにする必要がある。越流孔は、また、万一垂直立上がり管体が故障した（又は詰まったり、塞がったり等した）場合のバックアップ機構ともなる。
【００５３】
捕集装置の構成要素に用いられる好ましい材料には、ステンレス鋼の他、管部及びキャッチ体用として亜鉛めっき鋼（安価かつ容易に入手可能である）、射出成形用プラスチック（安価かつ容易に入手可能である）、脱着可能な網袋用として紫外線安定化ポリエチレン、ポリプロピレン等、ケーブル18及びコード51用としてステンレス鋼ワイヤのロープ及びケーブル、さらにプーリ22用としてステンレス鋼又はプラスチック等が含まれる。
【００５４】
複数の好ましい実施態様に沿ってこの発明を説明したが、この発明が、他の多くの形態において実施可能であることは理解されよう。
【図面の簡単な説明】
【図１】  この発明による固形物捕集装置の第１の態様を示した斜視図である。
【図２】  この発明による固形物捕集装置の第２の態様を示した斜視図である。
【図３】  図１及び２の装置に用いられる好ましい解放装置を示した斜視詳細図である。
【図４】  図２の装置とともに用いられる好ましい浮き子駆動の機械式解放装置を示した斜視詳細図である。
【図５】  図４の解放装置を解放状態で示した図である。
【図６】  図４の解放装置を示した側面図である。
【図７】  図４の解放装置を示した側方断面図である（図６と同じ方向で示している）。
【図８】  図４の解放装置を示した平面図である。
【図９】  図８と同様の図であるが、解放状態の解放装置を示している。
【図１０】  図４の解放装置の構成要素の一部を示した斜視図である。
【図１１】  この発明による装置に用いられる分流系の一部を示した斜視図である。
【図１２】  図１１の装置の概略断面図である。
【図１３】  この発明による装置に用いられる分流系の一部を示した斜視図である。
【図１】
0004125476.tif 000002
【図２】
0004125476.tif 000003
【図３】
0004125476.tif 000004
【図４】
0004125476.tif 000005
【図５】
0004125476.tif 000006
【図６】
0004125476.tif 000007
【図７】
0004125476.tif 000008
【図８】
0004125476.tif 000009
【図９】
0004125476.tif 000010
【図１０】
0004125476.tif 000011
【図１１】
0004125476.tif 000012
【図１２】
0004125476.tif 000013
【図１３】
0004125476.tif 000014